(57)【要約】【課題】  従来の衣服型紙を作図するための採寸は、メジャー計測のみである。体型はメジャー計測だけでは分からない部分がある。袖も各人の腕の特徴や身頃との関係も不明確であった。現在の製図は各人の体型を正確に表現できず、作図は時間を要する。袖の製図はデザインごと作図され、時間を要する。【解決手段】  本発明の装着式袖計測メジャー付きのヒップラインから身頃までのフィット原型計測製作器は、製図に必要な体の各所のこれまで不明確であったデータを得ることができるので、短時間で正確な身頃と袖の原型が製作できる。また、目安になる袖の原型があると各デザインの製図が早く、身頃との関係も明確で作図し易い。従って、体に適度にフィットした着易い衣服のパターンを製造することができる。【選択図】  図２
2004197297.tif 000002
【特許請求の範囲】
【請求項１】
ヒップラインから身頃までのフィット原型と袖の原型を作図するための、装着式袖計測メジャー付き身頃フィット原型計測製作器
【発明の詳細な説明】
【発明の詳細な説明】
【技術分野】
【０００１】  本発明は、衣服を作るときに使用する型紙を作図するための、体の各所の寸法を計り製作する計測器に関するものである。
【背景技術】
【０００２】  従来の衣服の製図においてはメジャーの計測値のみで原型を作図し、時間を要する上に、正確性を欠いていた。
【発明が解決しようとする課題】
【０００３】  従来のメジャーのみの計測では、製図に必要なネックライン、肩線、肩ダーツ量、胸ダーツ量、ウエストの細まりダーツ量、腕の振り（身頃との関係）など計測できない部分があり、体型を製図に表現するためのデータが不足気味であった。
【０００４】  また、メジャーの計測値による原型作図は時間を要する上に、各人の体型への対応が困難である。
【課題を解決するための手段】
【０００５】  上記の問題点を解決するために、本発明では、製図に必要で、メジャーでは計測しにくい体の丸みに添う、柔軟で透明なプラスティック（ポリプロピレン）で、予め、原型より大きめに作り、肩線、脇線、ダーツなどにマジックテープを付けておき、装着して調整し、印付けして、平らに広げて製図用紙に移せば、各人のヒップラインから身頃までの原型ができる。袖も計測器により身頃との関係や腕の特徴が分かり、各人の腕に合う袖の原型ができる。
【発明を実施するための最良の形態】
【０００６】  衣服用身頃原型と袖の原型を製作するための本発明のヒップラインから身頃までの袖計測メジャー付きフィット原型計測製作器の作り方と装着調整の仕方を以下詳述する。【０００７】…袖計測メジャー付き身頃フィット原型計測製作器の作り方  本発明の袖計測メジャー付き身頃フィット原型計測製作器は、柔軟で透明なプラスティック（ポリプロピレン）で図１と図２に示すように製作する。ＨＬが床上がり水平の直線の身頃原型をＪＩＳ規格標準サイズにより左右共に油性マジックペン（黒）で目安になる線を描いて、図のように多めに切り、ダーツはダーツ止まりまで切りこみ、バストポイント（ＢＰ）下のダーツはヒップライン（ＨＬ）下まで切り離しておく。ウエストライン（ＷＬ）部は各所切りこみをいれておく。衿ぐりと袖ぐり下も細かく切りこみをいれておく。図のように肩線、脇線、ダーツ各所に裏に接着剤の付いたマジックテープを取り付ける。後ろ腋点には図２のように長さ２５ｃｍの細いメジャーを取り付け、それに長さ６８ｃｍ（上に１５ｃｍ、下に５３ｃｍ）の細いメジャーを横に移動するように取り付ける。（交点をＣ点とする）９号サイズのものは７〜１１号サイズに近い人に使用でき、１５号サイズのものは１３〜１７号サイズに近い人に使用できる。【０００８】…袖計測メジャー付き身頃フィット原型計測製作器の使用方法  本発明の袖計測メジャー付き身頃フィット原型計測製作器の使用手順を以下に説明する。袖の計測は図３に示す。
１  予め、予測されるサイズに背中心（ＢＣ）脇、肩、ウエストダーツのマジックテープを止めておく。
２  装着して、背中心が背中に添っているか確認し、必要なら止め直し、ウエスト位置を身頃計測製作器に合わせ、目安のＨＬを床から水平に錘付きメジャーで見て前、後ろ、脇とも同じ床上がり寸法に固定して（スカートにセロテープで止めると安定する）、肩のネックポイントを前後合わせて止め、ネックラインを首に添わせて前中心（ＦＣ）を決め、目安のＦＣの線に平行にウエスト部とヒップ部の前中心のマジックテープを止める。
３  脇線を体に添わせてウエスト部、バストライン部で止め直す。
４  ４ヶ所のウエストダーツを体に添わせてウエスト部分で止め直す。バストポイント下のダーツはお腹のふくらみの程度で開く場合と重なる場合がある。
５  胸ダーツを胸のふくらみに合わせて重ね、止める。
６  肩線の肩ダーツを後ろ肩に添わせて重ねて止めた後、肩先を前肩線と重ねてて止める。
７  水性マジックペン（カラー）で装着者のヒップラインを錘付きメジャーで床上がり水平（計測製作器の裾線に平行）に印し、バストライン（バストポイントと同じ高さ）も床上がり水平に印す。（体型により目安の線に平行にならない事がある）ＢＣ、ＦＣ（目安の線に平行）、脇線、肩線、肩ダーツ、ウエストダーツ４ヶ所、胸ダーツ、前後のネックポイントと前後の腋点（腕の付け根）に印し付けをする。衿ぐり線、袖ぐり線も水性マジックペンで描く。（水性マジックペンは使用後拭けば落ちる）
８  図３のように後ろ腋点に付いたメジャーを前腋点（後ろより１ｃｍ位高い）にのばし、セロテープで止め、腋点の腕の寸法を見ておく。
９  袖山線になる長いメジャーを腕幅の中心（Ｃ点）に移動し，下に肘幅の中心にのばし、手首までまっすぐ直線で延長させて袖丈、肘ぐせ幅と肘丈も見ておく。
（図３）
１０  図３のように袖山線になるメジャーＣ点から上に下からまっすぐ延長させて身頃の肩先（ＳＰ）付近までのばし、肩先までの寸法と身頃の肩先との差見ておく。
１１  図３のように身頃のウエスト部に肘線位置と腕幅を印しておく。（腕の振り）身頃ＢＬ位置を袖山線上に印しておく。
１２  計測製作器を体からはずし、必要なら裏からも印付けケをし、マジックテープをはがして、平らに広げて、身頃フィット原型を製図用紙に移す。
１３  袖は得られたデータから図４のように作図する。【０００９】…袖タイト原型の作図の仕方
以下、１〜９において袖タイト原型を作図する手順について説明する。計測器のデータを用いて図４に示すように作図する。
１  計測器のデータの袖山線を縦に、袖幅線を身頃のＢＬと脇点の差を袖山線上に同じにとり、袖山線に直角に横線を引く。
２  身頃計測製作器から、腕幅の中心とＣ点を結ぶ線が袖山線であるので、肘線の腕輻、身頃の脇線と脇点（袖幅線上）」、腋点（前が１ｃｍ位高い）と腋点下の袖ぐり線を身頃の脇線を合わせて移しておく。メジャーのデータから腋点の袖幅（Ｃ点からの寸法は後ろの方が１ｃｍ位多い）。袖丈線と、肘丈を印し肘線を袖山線に直角に引いておく。ＳＰも目安として印す。
３  袖山線の肘位置から袖口に向けて計測より０．５ｃｍ〜１ｃｍ少なめに肘ぐせ幅を印し、肘ぐせ線を引き、その線に直角に袖口線を袖口回りの半分の長さに引く。
４  腋点の袖幅に前１ｃｍ以上、後ろは前に腕を出せるよう１．５ｃｍ以上のゆとりを入れて真横に印し、その点と身頃の腋点から半分の点を前後共印し、肘線上肘周り寸法に２ｃｍ加えた４分の１の長さを袖山線から両側にとった点、袖口は手回り寸法に２ｃｍ加えた４分の１を肘ぐせ線から両側にとった点に前のガイドラインを引く。後ろ側は肘点の１ｃｍ外（肘を曲げるため）と繋いで、袖口４分の１の点へ繋ぎ、袖の側面ガイドラインを示す。
５  前後共４で設定した袖の腋点から袖幅線に向けて身頃と同寸の直線を引いてから袖ぐり下線を身頃袖下線と同じように描く。設定した袖幅が上腕回りりの寸法にどの程度のゆとりがあるか見ておく（前１．５ｃｍ、後ろ２ｃｍ以上必要）
６  袖山線上に計測メジャーＣ点から肩先までの寸法を印し、その袖山点に向けて袖の前後腋点から直線を引き、２ｃｍ位ふくらませて袖山曲線を描く。図のようにいせ分を入れて曲線を調整し、身頃との合印を付けておく。（ＳＰはいせ分によって移動することもある）
７  前袖下線を５のゆとりを見て、図のように上腕回りに前で１．５ｃｍ以上ゆとりが入るように前袖幅点から肘点（前肘線上同寸）に腕に添うようにカーブ線を描き、袖口点（肘ぐせ線から４分の１の同寸）に向けて直線を引き、前袖口線図のように引く。
８  後ろ袖下線を図のように上腕回りに２ｃｍ以上のゆとり（腕を前に出すため）が入るように後ろ袖幅点から肘点（後ろ肘線上同寸…肘を曲げるために２ｃｍのゆとりが後ろに入った）に直線（必要ならカーブ線）を引き、袖口まで延長させておく。
９  後ろ袖口線を袖下線から手回り寸法に２ｃｍ加えた４分の１の寸法の点に引き、その点から後ろ肘線のガイドラインに向けて線を引き肘ダーツとする。
【効果】
【００１０】  上述したように本発明の装着式袖計測メジャー付き身頃フィット原型計測製作器は製図に必要で従来計測できなかった部分を計測し、手早く正確な身頃フィット原型と袖のタイト原型を製作することができる。
【図面の簡単な説明】
【図１】袖計測メジャー付き身頃フィット原型計測製作器の前身頃の図面
【図２】袖計測メジャー付き身頃フィット原型計測製作器の後ろ身頃の図面
【図３】袖計測メジャーの使用方法
【図４】袖タイト原型の作図
【図１】
2004197297.tif 000003
【図２】
2004197297.tif 000004
【図３】
2004197297.tif 000005
【図４】
2004197297.tif 000006